(57)【要約】【課題】暖房運転時の室外機の結露を抑制して、暖房運転を連続して実行可能な空気調和機を提供する。【解決手段】室外機に配された室外熱交換器の温度を計測する室外機温度計測部と、居室の外部の環境情報である外気環境情報を取得する外気環境情報取得部と、を備え、制御部は、外気環境情報に基づいて露点温度を取得して露点温度よりも高い最低温度を決定するとともに、室外熱交換器の温度が最低温度よりも高くなるように圧縮機を制御する空気調和機。【選択図】図４
2019020034.tif 000002
【特許請求の範囲】
【請求項１】
居室内部に配される室内機、前記居室の外部に配される室外機及び圧縮機を備えた空気調和機であって、
前記室外機に配された室外熱交換器の温度を計測する室外機温度計測部と、
前記居室の外部の環境情報である外気環境情報を取得する外気環境情報取得部と、
前記圧縮機を制御する制御部と、を備え、
前記制御部は、前記外気環境情報に基づいて露点温度を取得して前記露点温度よりも高い最低温度を決定するとともに、前記室外熱交換器の温度が前記最低温度よりも高くなるように前記圧縮機を制御する空気調和機。
【請求項２】
前記外気環境情報が、前記居室の外部の温度である外気温度と、前記居室の外部の湿度である外気湿度とを含み、
前記外気環境情報取得部は、
前記居室の外部に配されて前記外気温度を計測する外気温度計測部と、
前記居室の外部に配されて前記外気湿度を計測する外気湿度計測部と、を備える請求項１に記載の空気調和機。
【請求項３】
前記外気環境情報が、前記居室の外気の乾球温度である外気乾球温度と、前記居室の外気の湿球温度である外気湿球温度であり、
前記居室の外部に配されて前記外気乾球温度を計測する外気乾球温度計測部と、
前記居室の外部に配されて前記外気湿球温度を計測する外気湿球温度計測部と、を備える請求項１に記載の空気調和機。
【請求項４】
インターネットに接続可能な通信部をさらに備え、
前記外気環境情報取得部は、インターネット上に接続された機器から前記外部環境情報を取得する請求項１に記載の空気調和機。
【請求項５】
インターネットに接続可能な通信部をさらに備え、
前記外気環境情報取得部は、前記居室がある場所とは別の場所における外気環境情報及び露点温度を参照情報としてインターネット上に接続された機器から取得し、
前記制御部は、前記外気環境情報及び前記露点温度と、前記参照情報とに基づいて将来の予想外気温度及び将来の予想露点温度を予測するとともに、前記最低温度を前記予想外気温度及び前記予想露点温度に基づいて調整する請求項１から請求項４のいずれかに記載の空気調和機。
【請求項６】
前記制御部は、予め備えられている計算表または予め備えられている演算式を用いて、前記外気環境情報から前記露点温度を算出する請求項１から請求項５のいずれかに記載の空気調和機。
【発明の詳細な説明】
【技術分野】
【０００１】
本発明は、空気調和機に関する。
【背景技術】
【０００２】
ヒートポンプ式の空気調和機では、暖房運転時、蒸発器として機能する室外熱交換器に着霜することがある。着霜によって室外熱交換器での空気と冷媒との熱交換効率が悪化し、居室内の暖房ができなくなる。そこで、室外熱交換器の温度及び外気の温度に基づいて、室外熱交換器の着霜状態を確認する。そして、着霜状態に応じてヒータを駆動する除霜運転を行う空気調和機が提案されている（特開２０１１−５８７０８号公報参照）。
【０００３】
このような空気調和機では、外気温度と室外機の温度とに基づいて除霜を行うため、除霜運転を自動化できる。
【先行技術文献】
【特許文献】
【０００４】
【特許文献１】特開２０１１−５８７０８号公報
【発明の概要】
【発明が解決しようとする課題】
【０００５】
しかしながら、空気調和機において、冷房運転時と同じ冷凍サイクルとなるリバース除霜運転が実施されているときには、居室の暖房が停止してしまい、居室内の使用者が不快感を覚える虞がある。
【０００６】
そこで、本発明は暖房運転時の室外機の結露を抑制して、暖房運転を連続して実行可能な空気調和機を提供することを目的とする。
【課題を解決するための手段】
【０００７】
上記目的を達成するために本発明の空気調和機は、居室内部に配される室内機、前記居室の外部に配される室外機及び圧縮機を備えた空気調和機であって、前記室外機に配された室外熱交換器の温度を計測する室外機温度計測部と、前記居室の外部の環境情報である外気環境情報を取得する外気環境情報取得部と、前記圧縮機を制御する制御部と、を備え、前記制御部は、前記外気環境情報に基づいて露点温度を取得して前記露点温度よりも高い最低温度を決定するとともに、前記室外熱交換器の温度が前記最低温度よりも高くなるように前記圧縮機を制御する。
【０００８】
この構成によると、外気環境情報に基づいて外気の露点温度を取得し、その露点温度よりも高い最低温度を設定し、前記室外熱交換器の温度を最低温度よりも高い温度に制御する。そのため、室外熱交換器の結露及び結露水の凍結による着霜を抑制するとともに、連続して暖房運転を行うことができる。これにより、暖房中に、暖気の吐出が止まったり、冷気が吐出されたりしないので、使用者が不快感を覚えにくい。
【０００９】
上記構成の空気調和機において、前記外気環境情報が、前記居室の外部の温度である外気温度と、前記居室の外部の湿度である外気湿度とを含み、前記外気環境情報取得部は、前記居室の外部に配されて前記外気温度を計測する外気温度計測部と、前記居室の外部に配されて前記外気湿度を計測する外気湿度計測部と、を備えてもよい。
【００１０】
この構成によると、制御部は、外気温度と外気湿度とから露点温度を算出する。そのため、精度が高い露点温度を取得することが可能である。
【００１１】
上記構成の空気調和機において、前記外気環境情報が、前記居室の外気の乾球温度である外気乾球温度と、前記居室の外気の湿球温度である外気湿球温度であり、前記居室の外部に配されて前記外気乾球温度を計測する外気乾球温度計測部と、前記居室の外部に配されて前記外気湿球温度を計測する外気湿球温度計測部と、を備えてもよい。
【００１２】
この構成によると、制御部は、外気乾球温度と外気湿球温度とから、直接、露点温度を算出するため、露点温度の算出が早い。
【００１３】
上記構成の空気調和機において、インターネットに接続可能な通信部をさらに備え、前記外気環境情報取得部は、インターネット上に接続された機器から前記外部環境情報を取得してもよい。
【００１４】
この構成によると、外部環境情報を容易に取得することができる。また、空気調和機に備えられている外部環境情報取得部で取得した外部環境情報とインターネットを介して取得した外部環境情報とを総合することで、外部環境情報の精度を高めることが可能である。なお、外部環境情報だけでなく、結露温度をインターネット経由で取得してもよい。
【００１５】
上記構成の空気調和機において、インターネットに接続可能な通信部をさらに備え、前記外気環境情報取得部は、前記居室がある場所とは別の場所における外気環境情報及び露点温度を参照情報としてインターネット上に接続された機器から取得し、前記制御部は、前記外気環境情報及び前記露点温度と、前記参照情報とに基づいて将来の予想外気温度及び将来の予想露点温度を予測するとともに、前記最低温度を前記将来の予想外気温度及び前記将来の予想露点温度に基づいて調整してもよい。
【００１６】
この構成によると、予想外気温度及び予想露点温度に基づいて、空気調和機を制御するため、空気調和機の制御の効率を高めることが可能である。
【００１７】
上記構成の空気調和機において、前記制御部は、予め備えられている計算表または予め備えられている演算式を用いて、前記外気環境情報から前記露点温度を算出してもよい。
【発明の効果】
【００１８】
本発明によると、暖房運転時の室外機の結露を抑制して、暖房運転を連続して実行可能な空気調和機を提供することができる。
【図面の簡単な説明】
【００１９】
【図１】本発明にかかる空気調和機が備えられた居室の概略図である。
【図２】本発明にかかる空気調和機の概略構成を示すブロック図である。
【図３】図２に示す空気調和機のヒートポンプの概略図である。
【図４】記憶部に備えられた第１計算表の概略図である。
【図５】空気調和機の動作の一例を示すフローチャートである。
【図６】空気調和機における飽和水蒸気量を求める演算を示すブロック図である。
【図７】空気調和機のさらに他の例のブロック図である。
【図８】記憶部に備えられた計算表の他の例の概略図である。
【図９】本発明にかかる空気調和機のさらに他の例の動作を示すフローチャートである。
【図１０】空気調和機における露点温度を求める演算を示すブロック図である。
【図１１】本発明にかかる空気調和機のさらに他の例の動作を示すブロック図である。
【図１２】予測値を用いた空気調和機の動作を示すフローチャートである。
【発明を実施するための形態】
【００２０】
以下に本発明の実施形態について図面を参照して説明する。
【００２１】
図１は、本発明にかかる空気調和機が備えられた居室の概略図である。図１に示すように、空気調和機Ａは、居室Ｒｍの内部に設置される室内機ＩＭと、居室Ｒｍの外部に設置される室外機ＯＭとを有する。図１に示すように、居室Ｒｍは、天井ＣＬ、床ＦＬ及び四面の壁ＢＷに囲まれた空間である。壁ＢＷのうちの一つに室内機ＩＭが取り付けられている。なお、実際の居室Ｒｍにおいて、壁ＢＷや天井ＣＬ等には扉、窓等の開口が設けられている場合があるが、これらの開口は空調を行うときに閉じ、壁ＢＷ、天井ＣＬ等と一体と考えてもよいため、省略している。空気調和機Ａは、居室Ｒｍの空気を室内機ＩＭに取込み、調和した空気を吐出することで居室Ｒｍ内の空調（冷房、暖房等）を行っている。たとえば、空気調和機Ａが冷房運転されているときには、室内機ＩＭから冷たい空気（以下、冷気と称する）が吹き出され、暖房運転されているときには、室内機ＩＭから暖かい空気（以下、暖気と称する）が吹き出される。
（第１実施形態）
【００２２】
次に本発明にかかる空気調和機Ａの詳細について図面を参照して説明する。図２は、本発明にかかる空気調和機の概略構成を示すブロック図である。図３は、図２に示す空気調和機のヒートポンプの概略図である。
【００２３】
図２に示すように空気調和機Ａは、制御部１と、ヒートポンプ２と、記憶部３と、室外機温度計測部４と、外気環境情報取得部５とを備えている。
【００２４】
制御部１は、空気調和機Ａを構成する各部の動作を制御する。制御部１は、処理回路（例えば、ＣＰＵ等）を備えている。制御部１によって、温度、湿度、風量、風向等の空調条件が変更され、居室Ｒｍ内の空気が調和される。また、これら以外にも、空気調和機Ａの各部の制御処理を行う。制御部１に制御される構成物品、制御部１に情報を提供する構成物品については、各構成物品の説明のときに、行うものとする。
【００２５】
図２、図３に示すように、ヒートポンプ２は、室外機ＯＭに配される、圧縮機２１と、四方弁２２と、室外熱交換器２３と、室外ファン２４と、膨張器２５とを備える。また、室内機ＩＭに配される、室内熱交換器２６と、室内ファン２７とを備える。なお、膨張器２５は室外機ＯＭではなく、室内機ＩＭに設けられていてもよい。
【００２６】
そして、ヒートポンプ２において、圧縮機２１、四方弁２２、室外熱交換器２３、膨張器２５及び室内熱交換器２６が冷媒配管で接続されているとともに、内部に冷媒が封入されている。
【００２７】
圧縮機２１は冷媒を圧縮する装置である。圧縮機２１の動作（例えば、回転数）を変更することで、空調の条件（居室内の温度、湿度）の変更が可能である。圧縮機２１は、制御部１に制御される。本書では、圧縮機２１の制御として回転数を制御するものとする。四方弁２２は冷媒回路の流れ方向を変更する。四方弁２２で冷媒が流れる方向を切り替わりによって、ヒートポンプ２は、居室内を冷却する冷房運転又は居室内を暖める暖房運転に切り替わる。四方弁２２の切り替えは、制御部１によって制御される。減圧部２４は冷媒の圧力を低下させるものであり、例えば、キャピラリーチューブや膨張弁等が採用される。
【００２８】
室外熱交換器２３及び室内熱交換器２６はそれぞれ、居室Ｒｍの外部及び内部の空気と冷媒との間の熱交換を行うためのものである。室外熱交換器２３及び室内熱交換器２６としては、例えば、配列された複数枚のフィンを冷媒配管が貫通する構成を挙げることができる。複数枚のフィンを備えることで、冷媒配管だけの場合に比べて、冷媒と配管の外部の空気との熱交換が行われる表面積を大きくできる。そして、このフィンに空気を吹き付け、強制的に空気を送り込むことで熱交換の効率を高めることが可能である。そのため、ヒートポンプ２では、室外熱交換器２３の近傍に室外ファン２４が、室内熱交換器２６の近傍に室内ファン２７が設けられている。室外ファン２４及び室内ファン２７の動作（例えば、発生する気流の流量）は、制御部１によって制御される。
【００２９】
記憶部３は、制御部１が各種の処理を行うときに必要となる情報やプログラムを記憶する。記憶部３には、情報の読み出しのみが可能なＲＯＭ（Read Only Memory）や情報に随時アクセス可能（読書き可能）なＲＡＭ（Random Access Memory）等が含まれている。図２に示す通り、記憶部３には、露点温度の計算に用いる第１計算表３１が備えられている。第１計算表３１は、例えば、図４に示すような構成を有する。
【００３０】
図４は、記憶部に備えられた第１計算表の概略図である。図４に示すように、第１計算表３１は、第１欄３１１には気温ｔの情報が備えられる。図４では、気温ｔ１、ｔ２、・・・として表示している。図４において、気温ｔ１は、昇順に並べられているものとする。第２欄３１２は、飽和水蒸気量Ｅｓａｔの情報を備えている。飽和水蒸気量Ｅｓａｔは、気温ｔごとに決められた値となる。例えば、図４において、気温ｔ４のとき、飽和水蒸気量は、Ｅｓａｔ４である。飽和水蒸気量は気温によって一義的に決まるものであるため、以下の説明において、気温ｔにおける飽和水蒸気量を飽和水蒸気量Ｅｓａｔ（ｔ）と称する場合がある。
【００３１】
第１計算表３１は、気温と飽和水蒸気量とを関連付けた表である。第１計算表３１では、温度ｔの変化量が小さいほど、正確な飽和水蒸気量を取得することができる。一方で、温度ｔの変化量が小さいと、データ量が大きくなってしまい、記憶部３の容量を圧迫するし、飽和水蒸気量の計算に時間がかかる。そのため、変化量は、飽和水蒸気量の計算（検索）に時間がかかりすぎず、且つ、飽和水蒸気量の精度が一定以上となるように設定されていることが好ましい。なお、本実施形態では、数表の形式としているが、気温と飽和水蒸気量の関係を示す線図、いわゆる、湿り空気線図を第１計算表３１として用いてもよい。
【００３２】
室外機温度計測部４は、温度センサ（例えば、サーミスタ）を備え、室外熱交換器２３の温度（室外機温度）を計測する。室外機温度計測部４は、温度センサで計測した室外熱交換器２３の温度を電気信号として出力する。電気信号として出力される室外熱交換器２３の温度を室外機温度情報とする。すなわち、室外機温度計測部４は、室外機熱交換器２３の温度を室外機温度情報として、制御部１に送信する。
【００３３】
室外機温度計測部４は、一定時間経過するごとに、室外機温度情報を制御部１に送信してもよいし、制御部１から室外機温度情報を取得する命令を受けたとき、そのときの室外熱交換器２３の温度を、室外機温度情報として制御部１に送信してもよい。ここでは、一定時間経過するごとに、室外機温度情報を制御部１に送信するものとする。なお、この一定時間は、変更可能であってもよい。このとき、室外機温度情報を送信する時間間隔は、使用者によって決められてもよいし、制御部１によって決められてもよい。
【００３４】
外気環境情報取得部５は、外気温度計測部５１と、外気湿度計測部５２とを備える。外気環境情報とは、居室外部の環境状態を示す物理量を示す情報であり、ここでは、居室Ｒｍの外部の温度（外気温度）の情報と湿度（外気湿度）の情報とを含む。なお、外気環境情報として、外気温度、外気湿度以外の物理量（例えば、風速）を含んでいてもよい。
【００３５】
外気温度計測部５１は、居室Ｒｍの外部の空気（外気）の温度を計測する温度センサを含む。外気温度計測部５１は、室外機ＯＭに取り付けられる。室外機ＯＭに取り付けられる場合において、外気温度計測部５１は、圧縮機２１から発生する熱、室外熱交換器２３からの熱（冷熱又は温熱）及び室外ファン２４の送風の影響を受けない又は略受けない位置に設けられる。なお、外気温度計測部５１は、居室Ｒｍの外部の空気の温度が計測できればよく、取付位置は、室外機ＯＭに限定されない。
【００３６】
外気温度計測部５１は、温度センサで計測した外気温度を電気信号として出力する。電気信号として出力される外気温度を外気温度情報とする。すなわち、外気温度計測部５１は、外気温度を外気温度情報として、制御部１に送信する。
【００３７】
外気温度計測部５１は、一定時間経過するごとに、外気温度情報を制御部１に送信してもよいし、制御部１から外気温度情報を取得する命令を受けたとき、そのときの外気温度を、外気温度情報として制御部１に送信してもよい。ここでは、一定時間経過するごとに、外気温度情報を制御部１に送信するものとする。なお、この一定時間は、変更可能であってもよい。このとき、外気温度情報を送信する時間間隔は、使用者によって決められてもよいし、制御部１によって決められてもよい。
【００３８】
外気湿度計測部５２は、居室Ｒｍの外部の空気（外気）の湿度を計測する湿度センサを含む。外気湿度計測部５２は、室外機ＯＭに取り付けられる。室外機ＯＭに取り付けられる場合において、外気湿度計測部５２は、圧縮機２１から発生する熱、室外熱交換器２３からの熱（冷熱又は温熱）及び室外ファン２４からの送風の影響を受けない又は略受けない位置に設けられる。なお、外気湿度計測部５２は、居室Ｒｍの外部の空気の湿度が計測できればよく、取付位置は、室外機ＯＭに限定されない。
【００３９】
外気湿度計測部５２は、湿度センサで計測した外気湿度を電気信号として出力する。なお、電気信号として出力される外気湿度を外気湿度情報とする。すなわち、外気湿度計測部５２は、外気湿度を外気湿度情報として、制御部１に送信する。外気湿度計測部５２は、一定時間経過するごとに、外気湿度情報を制御部１に送信してもよいし、制御部１から外気湿度情報を取得する命令を受けたとき、そのときの外気湿度を、外気湿度情報として制御部１に送信してもよい。ここでは、一定時間経過するごとに、外気湿度情報を制御部１に送信するものとする。なお、この一定時間は、変更可能であってもよい。このとき、外気湿度情報を送信する時間間隔は、使用者によって決められてもよいし、制御部１によって決められてもよい。
【００４０】
外気温度情報及び外気湿度情報が、外気環境情報である。詳細は後述するが、外気温度と外気湿度とは、組み合わせて用いられる。外気温度情報及び外気湿度情報はそれぞれ外気環境情報として、外気温度計測部５１及び外気湿度計測部５２とが各々制御部１に送信してもよい。この場合、外気温度計測部５１による外気温度情報の送信のタイミングと外気湿度計測部５２による外気湿度情報の送信のタイミングとは、同じ又は略同じであることが好ましい。また、外気温度計測部５１又は外気湿度計測部５２の一方が他方で計測された情報を取得して、外気温度情報及び外気湿度情報とを関連付けて（まとめて）外気環境情報として制御部１に送るようにしてもよい。この場合、外気温度計測部５１による外気温度の測定のタイミングと外気湿度計測部５２による外気湿度の測定のタイミングとは、同じ又は略同じであることが好ましい。あるいは、外気温度計測部５１及び外気湿度計測部５２は、計測結果を電気信号（電圧）として出力するのみで、制御部１で電気信号（電圧）から外気温度と外気湿度とを判断してもよい。
【００４１】
本実施形態にかかる空気調和機Ａは、以上示した構成を有している。次に、空気調和機Ａの動作について説明する。空気調和機Ａは、ヒートポンプ２の四方弁２２を切り替えることで、冷房運転又は暖房運転が可能である。
【００４２】
空気調和機Ａの冷房運転を行うことで、室内熱交換器２６は低温になる。そのため、室内熱交換器２６の表面に結露水が発生する場合がある。空気調和機Ａの冷房運転は、気温が高いときに行われる。そのため、室内熱交換器２６には、居室Ｒｍ内の凝固点よりも高い温度の空気が吹き付けられるため、付着した結露水は霜にならずに流れる。空気調和機Ａの室内機ＩＭは、結露水を受ける受け皿（不図示）と、排水するための排水配管（不図示）とを備えている。
【００４３】
一方、空気調和機Ａの暖房運転を行うことで、室外熱交換器２３は、低温になる。そのため、室外熱交換器２３の表面に結露水が発生する場合がある。空気調和機Ａの暖房運転は、気温が低いときに行われる。そして、冬場や、寒冷地等では、外気温度が氷点下、つまり、水の凝固点以下になる場合がある。このような外気のときに、室外熱交換器２３で結露水が発生すると、凝固して霜が付着する（着霜する）。そして、着霜によって室外熱交換器２３の熱交換効率が低下し、暖房効果が低くなる場合がある。
【００４４】
そこで、空気調和機Ａでは、制御部１が圧縮機２１の制御を最適化することで、結露水の付着を抑制し、室外熱交換器２３の着霜を抑制している。以下に、室外熱交換器２３の結露を抑制する制御について図面を参照して説明する。
【００４５】
図５は、空気調和機の動作の一例を示すフローチャートである。図５に示すように、空気調和機Ａにおいて、制御部１は、外気温度計測部５１からの外気温度情報を受け取る（ステップＳ１０１）。これにより、制御部１は、外気温度Ｔｄ−ｏｕｔを取得する。また、制御部１は、外気温度情報の受け取りと同時又は略同時に外気湿度計測部５２から外気湿度情報を受け取る（ステップＳ１０２）。このとき制御部１は、外気湿度ＲＨ−ｏｕｔを取得する。
【００４６】
制御部１は、外気温度Ｔｄ−ｏｕｔ及び外気湿度ＲＨ−ｏｕｔに基づいて、現在の外気の露点温度Ｔｄｏ−ｏｕｔを算出する（ステップＳ１０３）。露点温度Ｔｄｏ−ｏｕｔの計算方法にについて、以下に説明する。
【００４７】
制御部１は、記憶部３に備えられた第１計算表３１にアクセスし、外気温度Ｔｄ−ｏｕｔのときの飽和水蒸気量Ｅｓａｔ（Ｔｄ−ｏｕｔ）を取得する。なお、第１計算表３１の第１欄３１１に外気温度Ｔｄ−ｏｕｔと同じ値が無い場合には、第１欄３１１において、外気温度Ｔｄ−ｏｕｔと近い温度を選択し、その温度における飽和水蒸気量をＥｓａｔ（Ｔｄ−ｏｕｔ）としてもよい。または、第１欄３１１に備えられている気温において、外気温度Ｔｄ−ｏｕｔの上下で直近の温度における各飽和水蒸気量から補間計算によって、外気温度Ｔｄ−ｏｕｔにおける飽和水蒸気量Ｅｓａｔ（Ｔｄ−ｏｕｔ）を求めてもよい。
【００４８】
制御部１は、外気温度Ｔｄ−ｏｕｔにおける飽和水蒸気量Ｅｓａｔ（Ｔｄ−ｏｕｔ）と現在の外気湿度ＲＨ−ｏｕｔとから、現在の外気の水蒸気量Ｅ（Ｔｄ−ｏｕｔ）を算出する。なお、Ｅ（Ｔｄ−ｏｕｔ）の算出は次の式で行われる。
【数１】
2019020034.tif 000003
【００４９】
そして、制御部１は、再度記憶部に備えられた第１計算表３１にアクセスし、現在の外気の水蒸気量Ｅ（Ｔｄ−ｏｕｔ）に近い飽和水蒸気量を探す。現在の外気の水蒸気量Ｅ（Ｔｄ−ｏｕｔ）に近い飽和水蒸気量に対応している気温を、結露が発生する温度、すなわち、現在の外気の露点温度Ｔｄｏ−ｏｕｔとする。また、第２欄３１２に備えられている飽和水蒸気量において、現在の外気の水蒸気量Ｅ（Ｔｄ−ｏｕｔ）の上下で直近の飽和水蒸気量における温度から、補間計算によって、現在の外気の露点温度Ｔｄｏ−ｏｕｔを求めてもよい。
【００５０】
図５に戻り、空気調和機Ａの暖房動作の説明を継続する。制御部１は、記憶部３に記憶された第１計算表３１、外気温度Ｔｄ−ｏｕｔ及び外気湿度ＲＨ−ｏｕｔから、露点温度Ｔｄｏ−ｏｕｔを取得する。そして、空気調和機Ａにおいて、室外熱交換器２３の温度が結露温度Ｔｄｏ−ｏｕｔよりも高い場合、室外熱交換器２３に結露が発生しない又は略結露が発生しない。そのため、結露した水分の凍結による霜が発生しない。
【００５１】
そこで、制御部１は、ステップＳ１０３で計算した露点温度Ｔｄｏ−ｏｕｔよりも高い最低温度Ｔｍｉｎを算出する（ステップＳ１０４）。制御部１は、最低温度Ｔｍｉｎとして、露点温度Ｔｄｏ−ｏｕｔよりも予め決めた温度α高い温度としている。なお、温度αは、予め決められた温度であり、常に一定であってもよいし、露点温度Ｔｄｏ−ｏｕｔごとに、決められた温度としてもよい。本実施形態では、常に一定であるものとする。
【００５２】
そして、制御部１は、室外機温度計測部４から室外機温度情報を取得する（ステップＳ１０５）。制御部１は、室外機温度が最低温度Ｔｍｉｎよりも大きいか否か確認する（ステップＳ１０６）。室外機温度が最低温度Ｔｍｉｎ以下になっている場合（ステップＳ１０６でＮｏの場合）、制御部１は、室外熱交換器２３で結露が発生しやすくなっていると判断する。そのため、制御部１は、回転数を小さくするように圧縮機２１を制御する（ステップＳ１０７）。
【００５３】
また、室外機温度が最低温度Ｔｍｉｎよりも大きい場合（ステップＳ１０６でＹｅｓの場合）、制御部１は、室外熱交換器２３での結露が発生しないと判断する。そして、制御部は、不図示の計測部から室内の温度を取得し、室内温度が設定されている設定温度よりも高いか否か確認する（ステップＳ１０８）。なお、設定温度とは、使用者等によって設定された暖房後の居室Ｒｍの温度である。室内温度が設定温度以下の場合（ステップＳ１０８でＮｏの場合）、制御部１は、ヒートポンプ２による熱交換が不十分であると判断して回転数を上げるように圧縮機２１を制御する（ステップＳ１０９）。
【００５４】
また、室内温度が設定温度よりも高い場合（ステップＳ１０８でＹｅｓの場合）、制御部１は、ヒートポンプ２が十分に機能して、居室Ｒｍ内をしっかり暖房していると判断して、現在の回転数を維持する又は回転数を下げるように圧縮機２１を制御する（ステップＳ１１０）。そして、制御部１は、圧縮機２１を制御した（ステップＳ１０７、Ｓ１０９、Ｓ１１０の）後、ステップＳ１０１に戻って、上記の動作を繰り返す。
【００５５】
このように、制御部１は、圧縮機２１の回転数を制御することで、ヒートポンプ２の室外熱交換器２３における結露の発生を抑制し、結露水の凍結による着霜を抑制する。なお、圧縮機２１の回転数を変更する(ステップＳ１０７、Ｓ１０９)場合、変更量は、予め決められた量とすることが可能である。また、制御部１は、室外熱交換器２３の温度が外気温度Ｔｄ−ｏｕｔよりも高くならないように圧縮機２１（の回転数）を制御することが好ましい。
【００５６】
以上のように、制御部１が、ヒートポンプ２を制御することで、室外熱交換器２３の着霜を抑制することが可能である。除霜のためにヒートポンプ２を停止することで、室内機ＩＭから冷気が吹き出すのを抑制できる。すなわち、空気調和機Ａでは、室内機ＩＭから暖気を吐出し続けることが可能であり、居室Ｒｍ内を使用者にとって快適な空間とすることが可能である。
【００５７】
（第２実施形態）
本発明にかかる空気調和機の他の例について図面を参照して説明する。図６は、空気調和機における飽和水蒸気量を求める演算を示すブロック図である。本実施形態にかかる空気調和機Ａでは、制御部１による飽和水蒸気量の計算方法及び露点温度の計算方法が第１実施形態とは異なっている。また、これに伴って、記憶部３に備えられている第１計算表３１を省略可能となっている。これ以外の点については、第１実施形態の空気調和機Ａと同じ構成であり、実質上同じ部分には、同じ符号を付している。
【００５８】
図６に示すように、制御部１は、外気温度計測部５１から送られた外気温度情報から外気温度Ｔｄ−ｏｕｔを取得する。記憶部３には、気温に基づいて、飽和水蒸気量Ｅｓａｔ（ｔ）を算出する演算式Ｆ１（ｔ）が備えられている。演算式Ｆ１（ｔ）は、飽和水蒸気量と温度との関係を示す式である。ここでは、飽和水蒸気量と温度との関係（湿り空気線図）から近似的に求められた近似式である。制御部１は、外気温度Ｔｄ−ｏｕｔを演算式Ｆ１（ｔ）に適用することで、外気温度Ｔｄ−ｏｕｔにおける飽和水蒸気量Ｅｓａｔ（Ｔｄ−ｏｕｔ）を算出する。
【００５９】
そして、Ｅｓａｔ（Ｔｄ−ｏｕｔ）及びＲＨ−ｏｕｔを上述の（数１）の式に適用して、現在の外気の水蒸気量Ｅ（Ｔｄ−ｏｕｔ）を算出する。そして、制御部１は、水蒸気量Ｅ（Ｔｄ−ｏｕｔ）を演算式Ｆ１（ｔ）の逆関数に適用して、現在の外気の露点温度Ｔｄｏ−ｏｕｔを算出する。以下、制御部１は、図５に示したフローチャートと同じ動作で、圧縮機２１の制御を行う。
【００６０】
このように、飽和水蒸気量Ｅｓａｔ（Ｔｄ−ｏｕｔ）を外気温度Ｔｄ−ｏｕｔから演算式Ｆ１（ｔ）で求める構成とすることで、第１計算表３１を記憶部３に備えなくてもよく、記憶部３の容量を有効に利用することが可能である。なお、本実施形態では、演算式Ｆ１（ｔ）として、気温と飽和水蒸気量との関係を近似的に数式化したものとしているが、これに限定されない。例えば、飽和水蒸気圧を計算した後、水蒸気量を計算するような演算式を利用してもよい。また、外気温度Ｔｄ−ｏｕｔ及び外気湿度ＲＨ−ｏｕｔから直接露点温度Ｔｄｏ−ｏｕｔを算出できるような演算式を備えていてもよい。
【００６１】
（第３実施形態）
本発明にかかる空気調和機のさらに他の例について図面を参照して説明する。図７は、空気調和機のさらに他の例のブロック図である。本実施形態にかかる空気調和機Ｂでは、外気環境情報取得部５の替わりに、外気環境情報取得部６を備えている。また、記憶部３には、第２計算表３２を備えている。空気調和機Ｂの、これ以外の点については、空気調和機Ａと同じ構成を有している。そのため、空気調和機Ｂにおいて、空気調和機Ａと同じ部分には、同じ符号を付しているとともに同じ部分の詳細な説明は省略する。
【００６２】
図７に示すように、外気環境情報取得部６は、外気乾球温度計測部６１と、外気湿球温度計測部６２とを備える。外気乾球温度計測部６１は、居室Ｒｍの外部の空気（環境）の乾球温度を計測する。外気乾球温度計測部６１は、乾球温度センサを備えており、外気乾球温度を電気信号の外気乾球温度情報として制御部１に送信する。また、外気湿球温度計測部６２は、居室Ｒｍの外部の空気（環境）の湿球温度を計測する。外気湿球温度計測部６２は、湿球温度を測定するセンサを備えており、外気湿球温度を電気信号の外気湿球温度情報として制御部１に送信する。なお、外気乾球温度計測部６１は、空気調和機Ａの外気温度計測部５１と同じ構成を有している。そのため、外気乾球温度を、外気温度と同じ、Ｔｄ−ｏｕｔとする。また、外気湿球温度を、Ｔｗ−ｏｕｔとする。
【００６３】
制御部１は、外気乾球温度Ｔｄ−ｏｕｔと、外気湿球温度Ｔｗ−ｏｕｔと、第２計算表３２とから、露点温度Ｔｄｏを算出する。第２計算表３２は、例えば、図８に示すような構成を有する。
【００６４】
図８は、記憶部に備えられた計算表の他の例の概略図である。図８に示すように、第２計算表３２は、縦の欄３２１を乾球温度Ｔｄ（Ｔｄ１、Ｔｄ２，・・・）とし、横の欄３２２を湿球温度Ｔｗ（Ｔｗ１、Ｔｗ２、・・・）としている。そして、乾球温度Ｔｄと湿球温度Ｔｗとが交差している欄３２３に乾球温度Ｔｄ及び湿球温度Ｔｗのときの露点温度Ｔｄｏの情報が備えられる。例えば、図８において、乾球気温Ｔｄ４、湿球温度Ｔｗ６のとき、露点温度Ｔｄｏ４６である。第２計算表３２において、露点温度Ｔｄｏは、乾球温度Ｔｄ及び湿球温度Ｔｗによって、一義的に決まる。そのため、以下の説明において、乾球温度Ｔｄ及び湿球温度Ｔｗのときの露点温度を露点温度Ｔｄｏ（Ｔｄ、Ｔｗ）と表示する場合がある。
【００６５】
第２計算表３２において、乾球温度Ｔｄ及び湿球温度Ｔｗの変化量が小さいほど、正確な露点温度を取得することができる。一方で、変化量が小さいと、データ量が大きくなってしまい、記憶部３の容量を圧迫するし、露点温度Ｔｄｏの計算に時間がかかる。そのため、変化量は、露点温度の計算（検索）に時間がかかりすぎず、且つ、露点温度の精度が一定以上となるように設定されていることが好ましい。
【００６６】
空気調和機Ｂは、以上のような構成を有している。次に、空気調和機Ｂの暖房動作について、図面を参照して説明する。図９は、本発明にかかる空気調和機のさらに他の例の動作を示すフローチャートである。図９に示すフローチャートは、図５に示す空気調和機Ａの暖房動作のフローチャートのステップＳ１０１〜Ｓ１０３を、ステップＳ２０１〜Ｓ２０３に置き換えた構成である。すなわち、図９に示すフローチャートにおいて、ステップＳ２０３以降のステップは、図５と同じであり、同じ符号を付すとともに、同じ部分の詳細な説明は省略する。
【００６７】
図９に示すように、空気調和機Ｂにおいて、制御部１は、外気乾球温度計測部６１からの外気乾球温度情報を受け取る（ステップＳ２０１）。これにより、制御部１は、外気乾球温度Ｔｄ−ｏｕｔを取得する。また、制御部１は、外気乾球温度情報の受け取りと同時又は略同時に外気湿球温度計測部６２から外気湿球温度情報を受け取る（ステップＳ２０２）。このとき制御部１は、外気湿球温度Ｔｗ−ｏｕｔを取得する。
【００６８】
制御部１は、外気乾球温度Ｔｄ−ｏｕｔ及び外気湿球温度Ｔｗ−ｏｕｔに基づいて、現在の外気の露点温度Ｔｄｏ（Ｔｄ−ｏｕｔ、Ｔｗ−ｏｕｔ）を算出する（ステップＳ２０３）。露点温度Ｔｄｏ（Ｔｄ−ｏｕｔ、Ｔｗ−ｏｕｔ）の計算方法にについて、以下に説明する。
【００６９】
制御部１は、記憶部３に備えられた第２計算表３２にアクセスし、外気乾球温度Ｔｄ−ｏｕｔ及び外気湿球温度Ｔｗ−ｏｕｔのときの露点温度Ｔｄｏ（Ｔｄ−ｏｕｔ、Ｔｗ−ｏｕｔ）を取得する。なお、第２計算表３２の乾球温度の欄に外気乾球温度Ｔｄ−ｏｕｔと同じ値が無い場合には、縦の欄３２１において、外気乾球温度Ｔｄ−ｏｕｔと近い温度を選択する。さらに、横の欄３２２において、外気湿球温度Ｔｗ−ｏｕｔと近い温度を選択する。そして、選択した外気乾球温度及び外気湿球温度における露点温度を、露点温度Ｔｄｏ（Ｔｄ−ｏｕｔ、Ｔｗ−ｏｕｔ）としてもよい。
【００７０】
又は、縦の欄３２１の乾球温度において、外気乾球温度Ｔｄ−ｏｕｔの上下で直近の乾球温度と、横の欄３２２の湿球温度において、外気湿球温度Ｔｗ−ｏｕｔの上下で直近の湿球温度とから、各交差する点での露点温度Ｔｄｏを求めて、補間計算によって外気乾球温度Ｔｄ−ｏｕｔ及び外気湿球温度Ｔｗ−ｏｕｔにおける露点温度Ｔｄｏ（Ｔｄ−ｏｕｔ、Ｔｗ−ｏｕｔ）を求めてもよい。なお、補間演算については従来公知であるため、詳細は省略する。また、これ以後、制御部１の動作は、空気調和機Ａと同じであるため、詳細な説明は省略する。
【００７１】
以上のように、本実施形態にかかる空気調和機Ｂでは、制御部１は、外気環境情報取得部６からの外気環境情報（外気乾球温度情報及び外気湿球温度情報）から、露点温度を取得することができる。この後、制御部１は、空気調和機Ａと同様の方法で、露点温度Ｔｄｏ（Ｔｄ−ｏｕｔ、Ｔｗ−ｏｕｔ）に基づいて、圧縮機２１を制御することで、室外熱交換器２３の着霜を抑制できる。
【００７２】
これ以外の特徴については、第１実施形態と同じである。
【００７３】
（第４実施形態）
本発明にかかる空気調和機の他の例について図面を参照して説明する。図１０は、空気調和機における露点温度を求める演算を示すブロック図である。本実施形態にかかる空気調和機Ｂでは、制御部１による露点温度Ｔｄｏ（Ｔｄ−ｏｕｔ、Ｔｗ−ｏｕｔ）の計算方法が第３実施形態とは異なっている。また、これに伴って、記憶部３に備えられている第２計算表３２を省略可能となっている。これ以外の点については、第２実施形態の空気調和機Ｂと同じ構成であり、実質上同じ部分には、同じ符号を付している。
【００７４】
図１０に示すように、制御部１は、外気乾球温度計測部６１から送られた外気乾球温度情報から外気乾球温度Ｔｄ−ｏｕｔを取得する。また、制御部１は、外気湿球温度計測部６２から送られた外気湿球温度情報から外気湿球温度Ｔｗ−ｏｕｔを取得する。記憶部３には、乾球温度Ｔｄ及び湿球温度Ｔｗに基づいて、露点温度Ｔｄｏ（Ｔｄ、Ｔｗ）を算出する演算式Ｆ２（Ｔｄ、Ｔｗ）が備えられている。演算式Ｆ２（Ｔｄ、Ｔｗ）は、乾球温度Ｔｄ及び湿球温度Ｔｗと露点温度Ｔｄｏ（Ｔｄ、Ｔｗ）の関係を示す式である。ここでは、例えば、近似的に求められた近似式である。制御部１は、外気乾球温度Ｔｄ−ｏｕｔ及び外気湿球温度Ｔｗ−ｏｕｔを演算式Ｆ２（Ｔｄ、Ｔｗ）に適用することで、露点温度Ｔｄｏ（Ｔｄ−ｏｕｔ、Ｔｗ−ｏｕｔ）を算出する。以下、制御部１は、図９に示したフローチャートと同じ動作で、圧縮機２１の制御を行う。
【００７５】
このように、露点温度Ｔｄｏ（Ｔｄ−ｏｕｔ、Ｔｗ−ｏｕｔ）を外気乾球温度Ｔｄ−ｏｕｔ、外気湿球温度Ｔｗ−ｏｕｔを演算式Ｆ２（Ｔｄ、Ｔｗ）に適用して求める構成とすることで、第２計算表３２を記憶部３に備えなくてもよく、記憶部３の容量を有効に利用することが可能である。
【００７６】
これ以外の特徴については、第１実施形態及び第３実施形態と同じである。
【００７７】
（第５実施形態）
本発明にかかる空気調和機のさらに他の例について図面を参照して説明する。図１１は、本発明にかかる空気調和機のさらに他の例の動作を示すブロック図である。図１１に示す空気調和機Ｃは、外気環境情報取得部５ｃに、通信部５３を備えている。これ以外の点については、第１実施形態の空気調和機Ａと同じ構成を有している。そのため、空気調和機Ｃにおいて、空気調和機Ａと同じ部分には同じ符号を付すとともに、同じ部分の詳細な説明は省略する。
【００７８】
図１１に示すように、空気調和機Ｃは、外気環境情報取得部５ｃに通信部５３を備えている。通信部５３は、制御部１と接続されており、通信部５３と制御部１と情報の送受信が可能である。
【００７９】
通信部５３は、インターネット、公衆回線等の空気調和機Ｃの外部の通信ネットワークＮｗと接続するためのインターフェースを備える。通信部５３は、優先及び無線の少なくとも一方でネットワークＮｗに接続する。通信部５３を介してネットワークＮｗに接続することで、空気調和機ＣはネットワークＮｗに接続されている機器と情報の送受信を行う。
【００８０】
例えば、ネットワークＮｗ上に、気象情報サーバＳｖが接続されている場合には、制御部１は、現在の空気調和機Ｃの設置場所（居室Ｒｍの住所、緯度経度等）を気象情報サーバＳｖに送ることで、現在の空気調和機Ｃの設置場所における外気の温度、湿度等の外気環境情報を取得することができる。そのため、通信部５３を備えた空気調和機Ｃでは、外気温度計測部５１及び外気湿度計測部５２で計測した外気環境情報と、ネットワークＮｗ上の機器から取得した外気環境情報の両方を用いることで、正確な露点温度を算出でき、圧縮機２１の制御を高めることが可能である。
【００８１】
なお、外気環境情報の発信元として、気象情報サーバＳｖをあげているが、これに限定されない。これ以外にも、空気調和機Ｃが設置されている場所の近傍に、配置され、温度センサ及び湿度センサを備えた観測装置を外気環境情報の発信元としてもよい。例えば、空気調和機Ｃが設置されている居室Ｒｍの周囲に配置されている複数個の観測装置からの外気環境情報を各々取得して、それらの情報を総合して用いるようにしてもよい。
【００８２】
（第６実施形態）
本発明にかかる空気調和機のさらに他の例について図面を参照して説明する。本実施形態において、空気調和機の構成は、第５実施形態の空気調和機Ｃと同じであり、制御部１による制御が異なる。そのため、空気調和機Ｃの構成をそのまま用いて説明する。
【００８３】
図１１に示すように、ネットワークＮｗ上には、気象情報サーバＳｖ以外にも、空気調和機Ｃ以外の空気調和機Ｃｏ１も接続されている。また、気象情報サーバＳｖも１つとは限らない。
【００８４】
通信部５３は、ネットワークＮｗ上の機器から、外気環境情報を取得する。気象情報サーバＳｖは、空気調和機Ｃの周囲の外気温度、外気湿度を提供する。一方、他の空気調和機Ｃｏ１は、それ自身に設けられた外気温度計測部で計測した外気温度や外気湿度計測部で計測した外気湿度をネットワークＮｗ上に送信している。このとき、計測地点の位置情報と共に、外気環境情報を送信することで、空気調和機Ｃで情報を受け取ったときに、制御部１は、位置の情報と外気環境情報とから、現在地における外気温度及び外気湿度の情報を取得することが可能である。
【００８５】
そして、制御部１は、これらのネットワークＮｗを介して取得した情報を時系列で配置することで、この先、すなわち、将来の外気温度、外気湿度を予測することが可能である。なお、気象情報サーバＳｖの機能によっては、外気温度、外気湿度を予測して、送信しているものもある。制御部１は、通信部５３を介してこのような予測情報を取得してもよい。
【００８６】
空気調和機Ｃの周囲の外気温度、外気湿度を取得し、時系列で並べることで、外気温度及び外気湿度の変遷（例えば、風、雲等による気象の変化によるもの、日照によるもの等）を得ることができる。制御部１は、この外気温度及び外気湿度の予測値（予測外気温度及び予測外気湿度とする）を算出し、さらにその予測値から今後の露点温度の予測値（予測露点温度とする）を算出する。
【００８７】
次に、予測値を用いた圧縮機２１の制御について図面を参照して説明する。図１２は、予測値を用いた空気調和機の動作を示すフローチャートである。なお、図１２の空気調和機Ｃの動作は、最低温度Ｔｍｉｎの設定の変更を示している。そのため、図１２に示すフローチャートは、図５に示すフローチャートのステップＳ１０３とステップＳ１０４の間に配置されるフローチャートである。
【００８８】
図１２に示すように、制御部１は、空気調和機Ｃに備えられた外気温度計測部５１及び外気湿度計測部５２からの外気温度及び外気湿度を取得した後、ネットワークＮｗに接続されたききから、外気温度及び外気湿度の情報を取得する（ステップＳ３０１）。制御部１は、外気温度計測部５１及び外気湿度計測部５２からの外気温度及び外気湿度とネットワークＮｗから取得した外気温度及び外気湿度から今後の予測外気温度及び予測露点温度を算出する（ステップＳ３０２）。
【００８９】
制御部１は、現在の露点温度と予測露点温度を比較し予測露点温度が露点温度に対して変化するかどうか確認する（ステップＳ３０３）。予測露点温度が現在の露点温度に対して変化する場合（ステップＳ３０３でＹｅｓの場合）、制御部１は、予測露点温度が現在の露点温度に対して下降するか否か確認する（ステップＳ３０４）。
【００９０】
予想露点温度が現在の露点温度に対して低くなると判断した場合（ステップＳ３０４でＹｅｓの場合）、制御部１は、室外熱交換器２３に結露（着霜）が発生しにくくなると判断する。すなわち、制御部１は、室外熱交換器２３の最低温度を露点温度に近づけても、結露（着霜）が発生しにくいと判断し、最低温度Ｔｍｉｎを計算するための差分値αを小さい値に変更する（ステップＳ３０５）。また、予想露点温度が現在の露点温度に対して低くならない、すなわち、高くなると判断した場合（ステップＳ３０４でＮｏの場合）、制御部１は、室外熱交換器２３に結露（着霜）が発生しやすくなると判断する。すなわち、制御部１は、室外熱交換器２３の最低温度を露点温度よりもより高い温度とすることで、結露（着霜）を抑制する。そのため、制御部１は、差分値αを大きい値に変更する（ステップＳ３０６）。
【００９１】
なお、空気調和機Ｃで暖房運転を行う場合、室外熱交換器２３の温度が、外気温度よりも高くなると、暖房のための熱交換ができなくなり、暖房ができなくなる。そのため、差分値αを大きい値に変更する場合において、最低温度Ｔｍｉｎが外気温度を超えない温度になるように変更する。
【００９２】
また、空気調和機Ｃにおいて室外熱交換器２３を、結露させることなく暖房運転を行うためには、室外熱交換器２３の温度である室外機温度を、露点温度よりも高い温度且つ外気温度よりも低い温度となるように動作させる必要がある。気象条件によっては、外気温度は変化するが、露点温度は変化しない場合もあり得る。そこで、予想露点温度が現在の露点温度に対して変化しない場合（ステップＳ３０３でＮｏの場合）、制御部１は、予想外気温度が現在の外気温度に対して低くなるか否か確認する（ステップＳ３０７）。予想外気温度が現在の外気温度よりも低くなる場合、現在の外気温度と露点温度の温度差に比べて、予想外気温度と予想露点温度の温度差は小さくなる。
【００９３】
そのため、予想外気温度が現在の外気温度よりも低くなる場合（ステップＳ３０７でＹｅｓの場合）、制御部１は、最低温度を予想外気温度と予想露点温度の間に設定するため差分値αとして小さい値を採用する（ステップＳ３０８）。一方、予想外気温度が低くならない場合、現在の外気温度と露点温度の温度差に比べて、予想外気温度と予想露点温度の温度差は変化しないか又は大きくなる。そのため、予想外気温度が低くならない場合（ステップＳ３０７でＮｏの場合）、制御部１は、差分値αを変更なし（ステップＳ３０９）とする。
【００９４】
そして、ステップＳ３０５、Ｓ３０６、Ｓ３０８及びＳ３０９で差分値αを設定した後、制御部１は、図５に示すフローチャートのステップＳ１０４に進み、最低温度Ｔｍｉｎを決定する。なお、本実施形態の制御のステップＳ３０５及びＳ３０８において、制御部１は、差分値αを小さくしている。ステップＳ３０５の場合、予想露点温度が下がる予想のもとに小さい差分値αを用いることで、ヒートポンプ２の熱交換効率を高めて、暖房能力を高めている。予想露点温度が現在の露点温度よりも下がる予測をしているため、差分値αは「０」に近い値、すなわち、最低温度を現在の露点温度により近い値になるような、差分値αを設定することが可能である。
【００９５】
一方、ステップＳ３０８では、予想露点温度が現在の露点温度よりも低くならないにもかかわらず、予想外気温度が現在の外気温度に近づくことで、最低温度が外気温度以上になるのを防ぐために小さい差分値αを設定している。そして、ヒートポンプ２において、圧縮機２１の回転数を制御したとき、室外機温度は、瞬時に変化するものではなく、時間差を置いて変化する。その時間差で、室外機温度が露点温度よりも低くならないようにするため、差分値αは、ある程度の大きさを持った値であることが好ましい。すなわち、制御部１は、ステップＳ３０５で選択される小さい差分値αは、ステップＳ３０８で選択される小さい差分値αよりも小さい値としている。
【００９６】
以上示したような、空気調和機Ｃでは、今後の露点温度、外気温度を予測し、その予測に基づいて、ヒートポンプ２（の圧縮機２１）を制御する。そのため、露点温度や外気温度が変化しても、室外熱交換器２３の結露（着霜）を抑制するとともに、室内機ＩＭから継続して暖気を吐出することが可能である。そのため、空気調和機Ｃでは、居室Ｒｍ内のユーザが不快（寒さ）を感じにくい。
【００９７】
なお、今後、結露しやすい状況になると判断され、結露しやすい状況になるまでの猶予期間が存在する場合、圧縮機２１の回転数を上げて、室内熱交換器２３の温度を上げておいてもよい。このようにすることで、結露しやすい状況になった際に、圧縮機２１の回転数を下げても、しばらくの間、室内機ＩＭから暖かい空気を居室Ｒｍ内に吹出し続けやすい状況にできる。
【００９８】
以上説明した本発明にかかる空気調和機は、居室内部に配される室内機、前記居室の外部に配される室外機及び圧縮機を備えた空気調和機であって、前記室外機に配された室外熱交換器の温度を計測する室外機温度計測部と、前記居室の外部の環境情報である外気環境情報を取得する外気環境情報取得部と、前記圧縮機を制御する制御部と、を備え、前記制御部は、前記外気環境情報に基づいて露点温度を取得して前記露点温度よりも高い最低温度を決定するとともに、前記室外熱交換器の温度が前記最低温度よりも高くなるように前記圧縮機を制御する。
【００９９】
この構成によると、外気環境情報に基づいて外気の露点温度を取得し、その露点温度よりも高い最低温度を設定し、前記室外熱交換器の温度を最低温度よりも高い温度に制御する。そのため、室外熱交換器の結露及び結露水の凍結による着霜を抑制するとともに、連続して暖房運転を行うことができる。これにより、暖房中に、暖気の吐出が止まったり、冷気が吐出されたりしないので、使用者が不快感を覚えにくい。
【０１００】
上記構成の空気調和機において、前記外気環境情報が、前記居室の外部の温度である外気温度と、前記居室の外部の湿度である外気湿度とを含み、前記外気環境情報取得部は、前記居室の外部に配されて前記外気温度を計測する外気温度計測部と、前記居室の外部に配されて前記外気湿度を計測する外気湿度計測部と、を備えてもよい。
【０１０１】
この構成によると、制御部は、外気温度と外気湿度とから露点温度を算出する。そのため、精度が高い露点温度を取得することが可能である。
【０１０２】
上記構成の空気調和機において、前記外気環境情報が、前記居室の外気の乾球温度である外気乾球温度と、前記居室の外気の湿球温度である外気湿球温度であり、前記居室の外部に配されて前記外気乾球温度を計測する外気乾球温度計測部と、前記居室の外部に配されて前記外気湿球温度を計測する外気湿球温度計測部と、を備えてもよい。
【０１０３】
この構成によると、制御部は、外気乾球温度と外気湿球温度とから、直接、露点温度を算出するため、露点温度の算出が早い。
【０１０４】
上記構成の空気調和機において、インターネットに接続可能な通信部をさらに備え、前記外気環境情報取得部は、インターネット上に接続された機器から前記外部環境情報を取得してもよい。
【０１０５】
この構成によると、外部環境情報を容易に取得することができる。また、空気調和機に備えられている外部環境情報取得部で取得した外部環境情報とインターネットを介して取得した外部環境情報とを総合することで、外部環境情報の精度を高めることが可能である。なお、外部環境情報だけでなく、結露温度をインターネット経由で取得してもよい。
【０１０６】
上記構成の空気調和機において、インターネットに接続可能な通信部をさらに備え、前記外気環境情報取得部は、前記居室がある場所とは別の場所における外気環境情報及び露点温度を参照情報としてインターネット上に接続された機器から取得し、前記制御部は、前記外気環境情報及び前記露点温度と、前記参照情報とに基づいて将来の外気温度及び将来の露点温度を予測するとともに、前記最低温度を前記将来の外気温度及び前記将来の露点温度に基づいて調整してもよい。
【０１０７】
この構成によると、予想外気温度及び予想露点温度に基づいて、空気調和機を制御するため、空気調和機の制御の効率を高めることが可能である。
【０１０８】
上記構成の空気調和機において、前記制御部は、予め備えられている計算表または予め備えられている演算式を用いて、前記外気環境情報から前記露点温度を算出してもよい。
【０１０９】
以上、本発明の実施形態につき説明したが、本発明の範囲はこれに限定されるものではなく、発明の主旨を逸脱しない範囲で種々の変更を加えて実施することができる。また、本発明の実施形態のうちいくつか或いはすべてを組み合わせて用いてもよい。
【符号の説明】
【０１１０】
Ａ〜Ｃ  空気調和機
ＩＭ  室内機
ＯＭ  室外機
１  制御部
２  空調部
２１  圧縮機
２２  四方弁
２３  室外熱交換器
２４  室外ファン
２５  膨張器
２６  室内熱交換器
２７  室内ファン
３  記憶部
４  室外機温度計測部
５  外気環境情報取得部
５１  外気温度計測部
５２  外気湿度計測部
６  外気環境情報取得部
６１  外気乾球温度計測部
６２  外気湿球温度計測部
【図１】
2019020034.tif 000004
【図２】
2019020034.tif 000005
【図３】
2019020034.tif 000006
【図４】
2019020034.tif 000007
【図５】
2019020034.tif 000008
【図６】
2019020034.tif 000009
【図７】
2019020034.tif 000010
【図８】
2019020034.tif 000011
【図９】
2019020034.tif 000012
【図１０】
2019020034.tif 000013
【図１１】
2019020034.tif 000014
【図１２】
2019020034.tif 000015